(57)【特許請求の範囲】
【請求項１】
受信に係るインピーダンスを補正する第１補正部と、
送信信号を増幅する増幅器と、
前記増幅器の出力段に設けられ、送信に係るインピーダンスを補正する第２補正部と、
受信に係るインピーダンスの第１補正量と送信に係るインピーダンスの第２補正量との対応関係を記憶するメモリと、
前記メモリに接続されたプロセッサとを有し、
前記プロセッサは、
第１補正量を前記第１補正部に設定し、
前記メモリを参照して、前記第１補正部に設定された第１補正量に対応する第２補正量を前記第２補正部に設定し、
前記増幅器の消費電流に基づいて、前記第２補正部に設定された第２補正量を調整する
処理を実行することを特徴とする無線通信装置。
【請求項２】
前記第１補正部に設定する処理は、
受信レベルを最大にする第１補正量を前記第１補正部に設定することを特徴とする請求項１記載の無線通信装置。
【請求項３】
前記調整する処理は、
前記増幅器の消費電流が最小になるように第２補正量を調整することを特徴とする請求項１記載の無線通信装置。
【請求項４】
前記調整する処理は、
前記増幅器の消費電流が所定の閾値以下になるように第２補正量を調整することを特徴とする請求項１記載の無線通信装置。
【請求項５】
前記メモリは、
無線通信装置の試作機を用いた実測により求められる対応関係であって、複数の第１補正量とそれぞれの第１補正量を設定した場合に増幅器の消費電流を最小にする第２補正量との対応関係を記憶することを特徴とする請求項１記載の無線通信装置。
【請求項６】
受信に係るインピーダンスを補正する第１補正量を、無線通信装置が備える第１補正部に設定し、
設定された第１補正量に対応してあらかじめ記憶され、送信に係るインピーダンスを補正する第２補正量を取得し、
取得された第２補正量を、前記無線通信装置が備える第２補正部に設定し、
前記無線通信装置が送信する送信信号を増幅する増幅器の消費電流に基づいて、前記第２補正部に設定された第２補正量を調整する
処理を有することを特徴とするインピーダンス補正方法。
【請求項７】
コンピュータによって実行されるインピーダンス補正プログラムであって、前記コンピュータに、
受信に係るインピーダンスを補正する第１補正量を、無線通信装置が備える第１補正部に設定し、
設定された第１補正量に対応してあらかじめ記憶され、送信に係るインピーダンスを補正する第２補正量を取得し、
取得された第２補正量を、前記無線通信装置が備える第２補正部に設定し、
前記無線通信装置が送信する送信信号を増幅する増幅器の消費電流に基づいて、前記第２補正部に設定された第２補正量を調整する
処理を実行させることを特徴とするインピーダンス補正プログラム。
【発明の詳細な説明】
【技術分野】
【０００１】
本発明は、無線通信装置及びインピーダンス補正方法に関する。
【背景技術】
【０００２】
従来、例えば携帯電話機などの無線通信装置には、アンテナが設けられている。アンテナは、無線通信装置の筐体に内蔵されることもあり、無線通信装置を把持するユーザの手の位置によっては、アンテナの通信性能が劣化することがある。すなわち、アンテナの周辺に例えば人体や金属などの物体があると、これらの物体からの干渉を受けてインピーダンス整合が取れなくなることがある。
【０００３】
そこで、インピーダンスの変動があった場合に、アンテナにおけるインピーダンス特性を調整し、インピーダンス整合を最適な状態に保つことが考えられている。このようにインピーダンス特性を調整する整合回路は、例えばアンテナの直近に設けられたり、送信信号を増幅する増幅器の出力段に設けられたりすることがある。
【先行技術文献】
【特許文献】
【０００４】
【特許文献１】特開２０００−１３２７６号公報
【特許文献２】特開平１１−１３６１５７号公報
【特許文献３】特開平１０−２５６９３０号公報
【特許文献４】特開２００１−３０８７３９号公報
【発明の概要】
【発明が解決しようとする課題】
【０００５】
ところで、無線通信装置は、送信と受信とでは周波数が異なる通信を行うことがあり、一方の周波数でインピーダンス整合が最適な状態であっても、必ずしも他方の周波数でインピーダンス整合が最適な状態であるとは限らない。このため、送信信号を増幅する増幅器の出力段に設けられる整合回路によって送信に係るインピーダンスを調整し、アンテナの直近に設けられる整合回路によって受信に係るインピーダンスを調整することなどが考えられる。
【０００６】
しかしながら、送受信それぞれに対応する整合回路によってインピーダンスを調整する場合には、インピーダンス整合を最適な状態にするまでにかかる時間が長くなり、消費電力が増大するという問題がある。すなわち、例えば受信用の整合回路によってインピーダンスを調整した後、送信用の整合回路によってインピーダンスを調整する場合には、送受信についてそれぞれ独立に調整が行われ、調整時間が長くなる。そして、送信におけるインピーダンス整合が最適な状態でない間は、増幅器の消費電流が増加することがあり、無線通信装置の消費電力が増大する。
【０００７】
開示の技術は、かかる点に鑑みてなされたものであって、インピーダンスの調整時間を短縮するとともに消費電力の増大を抑制することができる無線通信装置及びインピーダンス補正方法を提供することを目的とする。
【課題を解決するための手段】
【０００８】
本願が開示する無線通信装置は、１つの態様において、受信に係るインピーダンスを補正する第１補正部と、送信信号を増幅する増幅器と、前記増幅器の出力段に設けられ、送信に係るインピーダンスを補正する第２補正部と、受信に係るインピーダンスの第１補正量と送信に係るインピーダンスの第２補正量との対応関係を記憶するメモリと、前記メモリに接続されたプロセッサとを有し、前記プロセッサは、第１補正量を前記第１補正部に設定し、前記メモリを参照して、前記第１補正部に設定された第１補正量に対応する第２補正量を前記第２補正部に設定し、前記増幅器の消費電流に基づいて、前記第２補正部に設定された第２補正量を調整する処理を実行する。
【発明の効果】
【０００９】
本願が開示する無線通信装置及びインピーダンス補正方法の１つの態様によれば、インピーダンスの調整時間を短縮するとともに消費電力の増大を抑制することができるという効果を奏する。
【図面の簡単な説明】
【００１０】
【図１】図１は、一実施の形態に係る無線通信装置の構成を示すブロック図である。
【図２】図２は、補正量テーブルの具体例を示す図である。
【図３】図３は、一実施の形態に係るＢＢプロセッサの機能を示すブロック図である。
【図４】図４は、一実施の形態に係る補正設定処理を示すフロー図である。
【図５】図５は、一実施の形態に係る第１補正量の決定処理を示すフロー図である。
【図６】図６は、一実施の形態に係る第２補正量の決定処理を示すフロー図である。
【発明を実施するための形態】
【００１１】
以下、本願が開示する無線通信装置及びインピーダンス補正方法の一実施の形態について、図面を参照して詳細に説明する。なお、この実施の形態により本発明が限定されるものではない。
【００１２】
図１は、一実施の形態に係る無線通信装置１００の構成を示すブロック図である。図１に示す無線通信装置１００は、ディスプレイ１０１、タッチパネル１０２、スピーカー１０３、マイク１０４及びアプリケーションプロセッサ（以下「ＡＰプロセッサ」と略記する）１０５を有する。また、無線通信装置１００は、ベースバンドプロセッサ（以下「ＢＢプロセッサ」と略記する）１０６、電源回路１０９、メモリ１１５及び無線回路を有する。そして、無線回路は、変調部１０７、パワーアンプ１０８、インピーダンス補正部１１０、デュープレクサ１１１、インピーダンス補正部１１２、ローノイズアンプ１１３及び復調部１１４を有する。
【００１３】
ディスプレイ１０１は、例えば液晶モジュールなどを備え、ＡＰプロセッサ１０５による制御に従って種々の情報を表示する。
【００１４】
タッチパネル１０２は、例えばディスプレイ１０１と重ねて配置された静電容量式のタッチパネルであり、静電容量の変化を検知することにより、ユーザによる接触を検知する。そして、タッチパネル１０２は、検知したタッチの位置座標をＡＰプロセッサ１０５へ通知する。
【００１５】
スピーカー１０３は、ＡＰプロセッサ１０５による制御に従って種々の音声情報を出力する。
【００１６】
マイク１０４は、例えばユーザが発する音声などの音声情報を取得し、取得した音声情報をＡＰプロセッサ１０５へ出力する。
【００１７】
ＡＰプロセッサ１０５は、例えばＣＰＵ（Central  Processing  Unit）、ＤＳＰ（Digital  Signal  Processor）又はＦＰＧＡ（Field  Programmable  Gate  Array）などを備え、アプリケーションを実行する。そして、ＡＰプロセッサ１０５は、アプリケーションの処理に応じてディスプレイ１０１、タッチパネル１０２、スピーカー１０３及びマイク１０４などを制御する。また、ＡＰプロセッサ１０５は、受信データをＢＢプロセッサ１０６から取得して受信データを用いた処理を実行したり、処理の結果生成された送信データをＢＢプロセッサ１０６へ出力したりする。
【００１８】
ＢＢプロセッサ１０６は、例えばＣＰＵ、ＤＳＰ又はＦＰＧＡなどを備え、ＡＰプロセッサ１０５から出力される送信データに対して符号化及びデジタル変調などの所定のベースバンド処理を施し、変調部１０７へ出力する。また、ＢＢプロセッサ１０６は、復調部１１４から出力される受信データに対してデジタル復調及び復号などの所定のベースバンド処理を施し、ＡＰプロセッサ１０５へ出力する。
【００１９】
さらに、ＢＢプロセッサ１０６は、受信時のインピーダンス整合が最適な状態になるようにインピーダンスの第１補正量を決定し、送信時のインピーダンス整合が最適な状態になるようにインピーダンスの第２補正量を決定する。すなわち、ＢＢプロセッサ１０６は、インピーダンス補正部１１２に設定する第１補正量を決定した後、インピーダンス補正部１１０に設定する第２補正量を決定する。このとき、ＢＢプロセッサ１０６は、第１補正量を決定した後にメモリ１１５を参照して、決定した第１補正量に対応する第２補正量の初期値を取得し、第２補正量の調整を実行する。ＢＢプロセッサ１０６による第１補正量及び第２補正量の決定処理については、後に詳述する。
【００２０】
変調部１０７は、ＢＢプロセッサ１０６から出力される送信データをＤ／Ａ（Digital/Analogue）変換した後に、無線周波数にアップコンバートする。
【００２１】
パワーアンプ１０８は、電源回路１０９から供給される電流を用いて送信データを増幅する。パワーアンプ１０８が消費する電流は、パワーアンプ１０８の出力段におけるインピーダンスに応じて変化する。
【００２２】
電源回路１０９は、パワーアンプ１０８へ電流を供給し、パワーアンプ１０８が消費する電流を測定して測定結果をＢＢプロセッサ１０６へ通知する。
【００２３】
インピーダンス補正部１１０は、ＢＢプロセッサ１０６からの指示に従って、パワーアンプ１０８の出力段におけるインピーダンスを補正する。すなわち、インピーダンス補正部１１０は、ＢＢプロセッサ１０６から指示される第２補正量を設定し、送信に係るインピーダンスを補正する。
【００２４】
デュープレクサ１１１は、送信データをインピーダンス補正部１１２及びアンテナを介して送信するとともに、アンテナによって受信された受信データをローノイズアンプ１１３へ出力する。
【００２５】
インピーダンス補正部１１２は、ＢＢプロセッサ１０６からの指示に従って、アンテナ直近におけるインピーダンスを補正する。すなわち、インピーダンス補正部１１２は、ＢＢプロセッサ１０６から指示される第１補正量を設定し、受信に係るインピーダンスを補正する。
【００２６】
ローノイズアンプ１１３は、受信データを低雑音で増幅する。そして、ローノイズアンプ１１３は、増幅後の受信データを復調部１１４へ出力する。
【００２７】
復調部１１４は、ローノイズアンプ１１３から出力される受信データをベースバンド周波数又は中間周波数にダウンコンバートした後に、Ａ／Ｄ（Analogue/Digital）変換する。
【００２８】
メモリ１１５は、ＢＢプロセッサ１０６によって実行される処理に用いられる種々の情報を記憶する。具体的には、メモリ１１５は、例えばインピーダンス補正部１１２に設定される第１補正量とインピーダンス補正部１１０に設定される第２補正量との対応関係を示す補正量テーブルをあらかじめ記憶する。
【００２９】
図２は、補正量テーブルの具体例を示す図である。図２に示すように、補正量テーブルには第１補正量Ａm〜Ａn（ｍは負の整数、ｎは正の整数）と対応する第２補正量Ｂm〜Ｂnとが記憶されている。第１補正量は、インピーダンス補正部１１２に設定される受信に係るインピーダンスの補正量であり、補正量テーブルでは、例えば値が小さい順に並んでいる。そして、補正量テーブルには、それぞれの第１補正量がインピーダンス補正部１１２に設定された場合に、パワーアンプ１０８の消費電流を最小にするための第２補正量が記憶されている。補正量テーブルでは、第１補正量が値が小さい順に並んでいたとしても、第２補正量が値が小さい順に並ぶとは限らない。
【００３０】
このような第１補正量及び第２補正量の対応関係は、例えば無線通信装置の試作機において、それぞれの第１補正量Ａm〜Ａnを設定した場合の最適な第２補正量Ｂm〜Ｂnを実測により求めることで得られる。したがって、図２に示す補正量テーブルによれば、例えばインピーダンス補正部１１２に第１補正量Ａ0が設定された場合、無線通信装置の試作機ではインピーダンス補正部１１０に第２補正量Ｂ0を設定することにより、パワーアンプ１０８の消費電流が最小になったことが示されている。
【００３１】
次に、図３を参照して、一実施の形態に係るＢＢプロセッサ１０６の機能について説明する。図３は、一実施の形態に係るＢＢプロセッサ１０６の機能を示すブロック図である。図３においては、通常のＢＢプロセッサに備えられる例えば符号化、デジタル変調及び歪み補償などの機能に関するブロックを省略している。図３に示すように、ＢＢプロセッサ１０６は、第１補正量設定部２０１、受信レベル判定部２０２、第２補正量設定部２０３及び消費電流判定部２０４を有する。
【００３２】
第１補正量設定部２０１は、補正量テーブルに記憶されたいずれかの第１補正量を初期値としてインピーダンス補正部１１２に設定する。そして、第１補正量設定部２０１は、受信レベル判定部２０２からの指示に従って、インピーダンス補正部１１２に設定する第１補正量を順次変更する。第１補正量設定部２０１は、最終的に、受信レベル判定部２０２の判定結果に応じて、受信レベルを最大にする第１補正量をインピーダンス補正部１１２に設定する。
【００３３】
受信レベル判定部２０２は、復調部１１４によってダウンコンバート及びＡ／Ｄ変換された受信データの受信レベルを用いて、インピーダンス補正部１１２に設定された第１補正量の適否を判定する。具体的には、受信レベル判定部２０２は、第１補正量の初期値がインピーダンス補正部１１２に設定された際の受信レベルを取得すると、第１補正量設定部２０１に対して、第１補正量を一段階異なる第１補正量に変更するように指示する。すなわち、例えば図２に示した補正量テーブルの第１補正量Ａ0が初期値として設定されていた場合、受信レベルを取得後に、第１補正量Ａ1を設定するように指示する。
【００３４】
そして、受信レベル判定部２０２は、第１補正量Ａ0が設定された際の受信レベルと第１補正量Ａ1が設定された際の受信レベルとを比較し、第１補正量Ａ1が設定された際の受信レベルが大きい場合には、第１補正量設定部２０１に対して、第１補正量Ａ2を設定するように指示する。一方、受信レベル判定部２０２は、第１補正量Ａ0が設定された際の受信レベルが大きい場合には、第１補正量設定部２０１に対して、第１補正量Ａ-1を設定するように指示する。
【００３５】
このように、受信レベル判定部２０２は、初期値と一段階異なる第１補正量とをそれぞれ設定した場合の受信レベルを比較し、受信レベルを大きくする方向へ第１補正量を変更させる。そして、受信レベル判定部２０２は、第１補正量の変更と受信レベルの比較とを繰り返すことにより、受信レベルを最大にする第１補正量を決定する。
【００３６】
第２補正量設定部２０３は、第１補正量設定部２０１によって受信レベルを最大にする第１補正量がインピーダンス補正部１１２に設定されると、この第１補正量に対応する第２補正量をメモリ１１５に記憶された補正量テーブルから取得する。そして、第２補正量設定部２０３は、取得した第２補正量を初期値としてインピーダンス補正部１１０に設定する。また、第２補正量設定部２０３は、消費電流判定部２０４からの指示に従って、インピーダンス補正部１１０に設定する第２補正量を順次変更する。第２補正量設定部２０３は、最終的に、消費電流判定部２０４の判定結果に応じて、消費電流を最小にする第２補正量をインピーダンス補正部１１０に設定する。
【００３７】
消費電流判定部２０４は、電源回路１０９によって測定されるパワーアンプ１０８の消費電流を用いて、インピーダンス補正部１１０に設定された第２補正量の適否を判定する。具体的には、消費電流判定部２０４は、第２補正量の初期値がインピーダンス補正部１１０に設定された際のパワーアンプ１０８の消費電流を取得すると、第２補正量設定部２０３に対して、第２補正量を一段階異なる第２補正量に変更するように指示する。すなわち、例えば図２に示した補正量テーブルの第２補正量Ｂ0が初期値として設定されていた場合、消費電流を取得後に、第２補正量Ｂ1を設定するように指示する。
【００３８】
そして、消費電流判定部２０４は、第２補正量Ｂ0が設定された際の消費電流と第２補正量Ｂ1が設定された際の消費電流とを比較し、第２補正量Ｂ1が設定された際の消費電流が小さい場合には、第２補正量設定部２０３に対して、第２補正量Ｂ2を設定するように指示する。一方、消費電流判定部２０４は、第２補正量Ｂ0が設定された際の消費電流が小さい場合には、第２補正量設定部２０３に対して、第２補正量Ｂ-1を設定するように指示する。
【００３９】
このように、消費電流判定部２０４は、初期値と一段階異なる第２補正量とをそれぞれ設定した場合の消費電流を比較し、消費電流を小さくする方向へ第２補正量を変更させる。そして、消費電流判定部２０４は、第２補正量の変更と消費電流の比較とを繰り返すことにより、消費電流を最小にする第２補正量を決定する。
【００４０】
次いで、上記のように構成された無線通信装置１００における補正設定処理について、図４〜６に示すフロー図を参照しながら説明する。図４は、一実施の形態に係る補正設定処理を示すフロー図であり、図５、６は、それぞれ第１補正量及び第２補正量を決定する処理の詳細なフロー図である。
【００４１】
補正設定処理は、主にＢＢプロセッサ１０６によって実行される。補正設定処理は、例えば所定の周期で周期的に実行されても良いし、人体や金属などの接近に伴うインピーダンス変動が検出された場合に実行されても良い。補正設定処理が開始されると、第１補正量設定部２０１によって、補正量テーブルにおいて一段階ずつ異なる第１補正量がインピーダンス補正部１１２に順次設定される（ステップＳ１０１）。そして、受信レベル判定部２０２によって、受信レベルが最大となったか否かが判定され（ステップＳ１０２）、受信レベルが最大となっていない間は（ステップＳ１０２Ｎｏ）、インピーダンス補正部１１２に設定される第１補正量が順次変更される。
【００４２】
一方、受信レベルを最大にする第１補正量が決定すると（ステップＳ１０２Ｙｅｓ）、第１補正量設定部２０１によって、該当する第１補正量がインピーダンス補正部１１２に設定される。これにより、受信に係るインピーダンスの第１補正量が最適な状態に設定される。また、第２補正量設定部２０３によって、補正量テーブルが参照され、受信レベルを最大にする第１補正量に対応する第２補正量が取得される（ステップＳ１０３）。ここで取得される第２補正量は、無線通信装置の試作機において、パワーアンプ１０８の消費電流を最小にした補正量である。このため、取得された第２補正量に近い補正量によって、無線通信装置１００のパワーアンプ１０８の消費電流も最小になる可能性が高い。
【００４３】
そこで、第２補正量設定部２０３によって、取得された第２補正量を初期値として一段階ずつ異なる第２補正量がインピーダンス補正部１１０に順次設定される（ステップＳ１０４）。そして、消費電流判定部２０４によって、パワーアンプ１０８の消費電流が最小となったか否かが判定され（ステップＳ１０５）、消費電流が最小となっていない間は（ステップＳ１０５Ｎｏ）、インピーダンス補正部１１０に設定される第２補正量が順次変更される。そして、消費電流を最小にする第２補正量が決定すると（ステップＳ１０５Ｙｅｓ）、第２補正量設定部２０３によって、該当する第２補正量がインピーダンス補正部１１０に設定される。これにより、送信に係るインピーダンスの第２補正量が最適な状態に設定される。
【００４４】
次に、受信に係るインピーダンスの第１補正量の決定処理について、より詳細に図５を参照しながら説明する。第１補正量の決定処理は、主に第１補正量設定部２０１及び受信レベル判定部２０２によって実行される。
【００４５】
まず、補正量テーブルにおける第１補正量を指定するパラメータｋが０に初期化される（ステップＳ２０１）。図２に示したように、補正量テーブルにおいては、第１補正量Ａ0は、値が小さい順に並ぶ第１補正量Ａm〜Ａnのうちの中央付近の値である。したがって、パラメータｋが０に初期化されることにより、第１補正量設定部２０１によって、第１補正量の初期値として第１補正量Ａ0がインピーダンス補正部１１２に設定される（ステップＳ２０２）。そして、第１補正量Ａ0が設定された状態での受信レベルＲＳＳＩ0が測定され（ステップＳ２０３）、受信レベル判定部２０２によって取得される。
【００４６】
受信レベル判定部２０２によって受信レベルＲＳＳＩ0が取得されると、第１補正量設定部２０１によって、第１補正量Ａk+1がインピーダンス補正部１１２に設定される（ステップＳ２０４）。すなわち、ここでは、第１補正量Ａ1がインピーダンス補正部１１２に設定される。そして、第１補正量Ａ1が設定された状態での受信レベルＲＳＳＩ1が測定され（ステップＳ２０５）、受信レベル判定部２０２によって取得される。
【００４７】
受信レベルＲＳＳＩ0と受信レベルＲＳＳＩ1とは、受信レベル判定部２０２によって大小比較される（ステップＳ２０６）。この比較の結果、受信レベルＲＳＳＩ1の方が大きい場合には（ステップＳ２０６Ｙｅｓ）、第１補正量を大きくすることによって受信レベルが大きくなっていることから、さらに第１補正量を大きくする。すなわち、パラメータｋが１インクリメントされ（ステップＳ２０７）、第１補正量設定部２０１によって、第１補正量Ａk+1がインピーダンス補正部１１２に設定される（ステップＳ２０４）。すなわち、ここでは、第１補正量Ａ2がインピーダンス補正部１１２に設定される。そして、第１補正量Ａ2が設定された状態での受信レベルＲＳＳＩ2が測定され（ステップＳ２０５）、受信レベル判定部２０２によって取得される。
【００４８】
そして、受信レベルＲＳＳＩkよりも受信レベルＲＳＳＩk+1が大きい間は、パラメータｋが１ずつインクリメントされ、受信レベルＲＳＳＩkが最大となるタイミングで受信レベルＲＳＳＩk+1が受信レベルＲＳＳＩk以下になる（ステップＳ２０６Ｎｏ）。そこで、受信レベル判定部２０２によって、パラメータｋが初期値の０のままであるか否かが判定され（ステップＳ２０８）、パラメータｋが０でなければ（ステップＳ２０８Ｎｏ）、第１補正量Ａkが受信レベルを最大にすると決定される（ステップＳ２１３）。
【００４９】
一方、パラメータｋが初期値の０の状態で、受信レベルＲＳＳＩkの方が大きい場合には（ステップＳ２０６Ｎｏ）、受信レベル判定部２０２によって、パラメータｋが初期値の０のままであると判定される（ステップＳ２０８Ｙｅｓ）。この場合には、第１補正量を大きくすることによって受信レベルが小さくなっていることから、第１補正量を初期値よりも小さくする。すなわち、第１補正量設定部２０１によって、第１補正量Ａk-1がインピーダンス補正部１１２に設定される（ステップＳ２０９）。すなわち、ここでは、第１補正量Ａ-1がインピーダンス補正部１１２に設定される。そして、第１補正量Ａ-1が設定された状態での受信レベルＲＳＳＩ-1が測定され（ステップＳ２１０）、受信レベル判定部２０２によって取得される。
【００５０】
受信レベルＲＳＳＩ0と受信レベルＲＳＳＩ-1とは、受信レベル判定部２０２によって大小比較される（ステップＳ２１１）。この比較の結果、受信レベルＲＳＳＩ-1の方が大きい場合には（ステップＳ２１１Ｙｅｓ）、第１補正量を小さくすることによって受信レベルが大きくなっていることから、さらに第１補正量を小さくする。すなわち、パラメータｋが１デクリメントされ（ステップＳ２１２）、第１補正量設定部２０１によって、第１補正量Ａk-1がインピーダンス補正部１１２に設定される（ステップＳ２０９）。すなわち、ここでは、第１補正量Ａ-2がインピーダンス補正部１１２に設定される。そして、第１補正量Ａ-2が設定された状態での受信レベルＲＳＳＩ-2が測定され（ステップＳ２１０）、受信レベル判定部２０２によって取得される。
【００５１】
そして、受信レベルＲＳＳＩkよりも受信レベルＲＳＳＩk-1が大きい間は、パラメータｋが１ずつデクリメントされ、受信レベルＲＳＳＩkが最大となるタイミングで受信レベルＲＳＳＩk-1が受信レベルＲＳＳＩk以下になる（ステップＳ２１１Ｎｏ）。そこで、受信レベル判定部２０２によって、第１補正量Ａkが受信レベルを最大にすると決定される（ステップＳ２１３）。
【００５２】
なお、パラメータｋが初期値の０の状態で、受信レベルＲＳＳＩk+1が受信レベルＲＳＳＩk以下であり（ステップＳ２０６Ｎｏ）、かつ受信レベルＲＳＳＩk-1も受信レベルＲＳＳＩk以下である場合には（ステップＳ２１１Ｎｏ）、第１補正量Ａ0が受信レベルを最大にする補正量となる。
【００５３】
このように、補正量テーブルにおいて値が小さい順に並ぶ第１補正量Ａm〜Ａnのうちの中央付近の第１補正量Ａ0を初期値として、一段階ずつ第１補正量を変更しながら受信レベルを最大にする第１補正量が決定される。このため、受信に係るインピーダンスを最適にする第１補正量を短時間で決定することができる。
【００５４】
次に、送信に係るインピーダンスの第２補正量の決定処理について、より詳細に図６を参照しながら説明する。第２補正量の決定処理は、主に第２補正量設定部２０３及び消費電流判定部２０４によって実行される。
【００５５】
第１補正量設定部２０１によって受信レベルを最大にする第１補正量Ａkが決定されると、第２補正量設定部２０３によってメモリ１１５に記憶された補正量テーブルが参照される。そして、第２補正量設定部２０３によって、補正量テーブルから、第１補正量Ａkに対応する第２補正量Ｂjが取得され、インピーダンス補正部１１０に設定される（ステップＳ３０１）。補正量テーブルにおいて第１補正量Ａkに対応する第２補正量Ｂjは、パワーアンプ１０８の消費電流を最小にする第２補正量に近い値である。このため、第２補正量Ｂjが初期値としてインピーダンス補正部１１０に設定される。
【００５６】
第２補正量Ｂjが設定されると、電源回路１０９によって、第２補正量Ｂjが設定された状態でのパワーアンプ１０８の消費電流Ｉjが測定され（ステップＳ３０２）、消費電流判定部２０４へ通知される。
【００５７】
消費電流判定部２０４によって消費電流Ｉjが取得されると、第２補正量設定部２０３によって、第２補正量Ｂj+1がインピーダンス補正部１１０に設定される（ステップＳ３０３）。そして、第２補正量Ｂj+1が設定された状態での消費電流Ｉj+1が測定され（ステップＳ３０４）、消費電流判定部２０４によって取得される。
【００５８】
消費電流Ｉjと消費電流Ｉj+1とは、消費電流判定部２０４によって大小比較される（ステップＳ３０５）。この比較の結果、消費電流Ｉj+1の方が小さい場合には（ステップＳ３０５Ｙｅｓ）、図２に示す補正量テーブルにおいて下方向に第２補正量を変更することによって消費電流が小さくなっていることから、さらに下方向の第２補正量に変更する。すなわち、パラメータｊが１インクリメントされ（ステップＳ３０６）、第２補正量設定部２０３によって、新たな第２補正量Ｂj+1がインピーダンス補正部１１０に設定される（ステップＳ３０３）。そして、新たな第２補正量Ｂj+1が設定された状態での消費電流Ｉj+1が測定され（ステップＳ３０４）、受信レベル判定部２０２によって取得される。
【００５９】
そして、消費電流Ｉjよりも消費電流Ｉj+1が小さい間は、パラメータｊが１ずつインクリメントされ、消費電流Ｉjが最小となるタイミングで消費電流Ｉj+1が消費電流Ｉj以上になる（ステップＳ３０５Ｎｏ）。そこで、消費電流判定部２０４によって、パラメータｊが初期値のままであるか否かが判定され（ステップＳ３０７）、パラメータｊが初期値から変わっていれば（ステップＳ３０７Ｎｏ）、第２補正量Ｂjが消費電流を最小にすると決定される（ステップＳ３１２）。
【００６０】
一方、パラメータｊが初期値の状態で、消費電流Ｉjの方が大きい場合には（ステップＳ３０５Ｎｏ）、消費電流判定部２０４によって、パラメータｊが初期値のままであると判定される（ステップＳ３０７Ｙｅｓ）。この場合には、図２に示す補正量テーブルにおいて下方向に第２補正量を変更することによって消費電流が大きくなっていることから、図２に示す補正量テーブルにおいて上方向に第２補正量を変更する。すなわち、第２補正量設定部２０３によって、第２補正量Ｂj-1がインピーダンス補正部１１０に設定される（ステップＳ３０８）。そして、第２補正量Ｂj-1が設定された状態での消費電流Ｉj-1が測定され（ステップＳ３０９）、消費電流判定部２０４によって取得される。
【００６１】
消費電流Ｉjと消費電流Ｉj-1とは、消費電流判定部２０４によって大小比較される（ステップＳ３１０）。この比較の結果、消費電流Ｉj-1の方が小さい場合には（ステップＳ３１０Ｙｅｓ）、図２に示す補正量テーブルにおいて上方向に第２補正量を変更することによって消費電流が小さくなっていることから、さらに上方向の第２補正量に変更する。すなわち、パラメータｊが１デクリメントされ（ステップＳ３１１）、第２補正量設定部２０３によって、新たな第２補正量Ｂj-1がインピーダンス補正部１１０に設定される（ステップＳ３０８）。そして、新たな第２補正量Ｂj-1が設定された状態での消費電流Ｉj-1が測定され（ステップＳ３０９）、消費電流判定部２０４によって取得される。
【００６２】
そして、消費電流Ｉjよりも消費電流Ｉj-1が小さい間は、パラメータｊが１ずつデクリメントされ、消費電流Ｉjが最小となるタイミングで消費電流Ｉj-1が消費電流Ｉj以上になる（ステップＳ３１０Ｎｏ）。そこで、消費電流判定部２０４によって、第２補正量Ｂjがパワーアンプ１０８の消費電流を最小にすると決定される（ステップＳ３１２）。
【００６３】
なお、パラメータｊが初期値の状態で、消費電流Ｉj+1が消費電流Ｉj以上であり（ステップＳ３０５Ｎｏ）、かつ消費電流Ｉj-1も消費電流Ｉj以上である場合には（ステップＳ３１０Ｎｏ）、初期値の第２補正量Ｂjが消費電流を最小にする補正量となる。
【００６４】
このように、補正量テーブルにおいて最適な第１補正量Ａkに対応する第２補正量Ｂjを初期値として、一段階ずつ第２補正量を変更しながら消費電流を最小にする第２補正量が決定される。このため、最適に近い第２補正量を初期値として、消費電流を最小にする第２補正量を決定することができ、送信に係るインピーダンスを最適にする第２補正量を短時間で決定することができる。結果として、パワーアンプ１０８における消費電流が増加する第２補正量の調整時間を短縮することができ、消費電力の増大を抑制することができる。
【００６５】
以上のように、本実施の形態によれば、受信に係るインピーダンスの第１補正量を最適に調整した後、この第１補正量に対応する第２補正量を補正量テーブルから取得して、送信に係るインピーダンスの第２補正量調整時の初期値とする。このため、最適に近い第２補正量を初期値として第２補正量の調整をすることができ、インピーダンスの調整時間を短縮するとともに消費電力の増大を抑制することができる。
【００６６】
なお、上記一実施の形態においては、パワーアンプ１０８の消費電流が最小になるまで第２補正量を変更するものとしたが、必ずしも消費電流を最小するように第２補正量を調整しなくても良い。すなわち、例えばパワーアンプ１０８の消費電流が所定の閾値以下になった場合、その時点でインピーダンス補正部１１０に設定された第２補正量を最終的な第２補正量としても良い。
【００６７】
また、上記一実施の形態においては、図２に示す補正量テーブルの下方向又は上方向に第２補正量を変更するものとしたが、第２補正量の変更はこれに限定されない。具体的には、例えば第２補正量を所定値ずつ増加又は減少させながら、パワーアンプ１０８の消費電流を最小にする第２補正量を決定することも可能である。
【００６８】
さらに、上記一実施の形態における補正設定処理をコンピュータが実行可能なプログラムとして記述することも可能である。この場合、このプログラムをコンピュータが読み取り可能な記録媒体に格納し、コンピュータに導入することも可能である。コンピュータが読み取り可能な記録媒体としては、例えばＣＤ−ＲＯＭ、ＤＶＤディスク、ＵＳＢメモリなどの可搬型記録媒体や、例えばフラッシュメモリなどの半導体メモリが挙げられる。
【符号の説明】
【００６９】
１０１  ディスプレイ
１０２  タッチパネル
１０３  スピーカー
１０４  マイク
１０５  ＡＰプロセッサ
１０６  ＢＢプロセッサ
１０７  変調部
１０８  パワーアンプ
１０９  電源回路
１１０、１１２  インピーダンス補正部
１１１  デュープレクサ
１１３  ローノイズアンプ
１１４  復調部
１１５  メモリ
２０１  第１補正量設定部
２０２  受信レベル判定部
２０３  第２補正量設定部
２０４  消費電流判定部
【図１】
0006476470.tif 000002
【図２】
0006476470.tif 000003
【図３】
0006476470.tif 000004
【図４】
0006476470.tif 000005
【図５】
0006476470.tif 000006
【図６】
0006476470.tif 000007